(57)【要約】【目的】きれいな画像を携帯電話に表示する。【構成】クライアント・コンピュータ１に記憶されている画像データをサーバ・システム２０に送信する。サーバ・システム２０から携帯電話２に画像データが送信され，携帯電話の表示画面上に画像が表示される。表示された画像を見ながら，携帯電話２のユーザによって画像の輝度，シャープネスなどが調整される。調整量等を示すデータが携帯電話２からサーバ・システム２０に送信される。サーバめシステム２０において，携帯電話２において行われた調整と同じ調整が行われる。調整された画像データがサーバ・システム２０から携帯電話２に送信される。携帯電話２において，きれいな画像が表示される。待ち受け画面などの利用することができる。【選択図】  図１
2004180049.tif 000002
【特許請求の範囲】
【請求項１】
画像サーバと携帯電話とを備えた画像通信システムにおいて，
上記画像サーバから上記携帯電話に原画像データが送信され，
上記携帯電話が，
上記画像サーバから送信された原画像データによって表される原画像を表示画面上に表示する表示装置，
上記表示装置の表示画面上に表示されている原画像を調整する第１の画像調整手段，および
上記第１の画像調整手段による原画像の調整量を表すデータを上記画像サーバに送信する画像調整量送信手段を備え，
上記画像サーバが，
上記携帯電話から送信された画像調整量データにもとづいて，上記原画像データを調整する第２の画像調整手段，および
上記第２の画像調整手段によって調整された原画像データを上記携帯電話に送信する第１の画像データ送信手段，
を備えた画像通信システム。
【請求項２】
上記携帯電話が，上記第１の画像調整手段による画像調整量を与える調整量設定手段を備えた請求項１に記載の画像通信システム。
【請求項３】
上記携帯電話が，
上記画像サーバの上記第１の画像データ送信手段から送信された調整済画像データを記憶する画像メモリ，および
上記画像メモリに記憶された調整済画像データによって表される調整済画像を表示画面上に表示するように上記表示装置を制御する表示制御手段，
をさらに備えた請求項１に記載の画像通信システム。
【請求項４】
上記画像通信システムが，クライアント・コンピュータをさらに備え，
上記クライアント・コンピュータが，
上記携帯電話のアドレスを入力するアドレス入力手段，および
上記アドレス入力手段から入力されたアドレスを表すデータを上記画像サーバに送信するアドレス・データ送信手段をさらに備え，
上記画像サーバが，
上記クライアント・コンピュータの上記アドレス・データ送信手段から送信されたアドレス・データによって表されるアドレスをもつ上記携帯電話に上記原画像データを送信するものである，
請求項１に記載の画像通信システム。
【請求項５】
上記クライアント・コンピュータが，
上記携帯電話に送信される原画像データによって表される原画像を指定する画像指定手段，および
上記画像指定手段によって指定された原画像を表す原画像データを上記画像サーバに送信する第２の画像データ送信手段をさらに備え，
上記画像サーバが，
上記クライアント・コンピュータの上記第２の画像送信手段から送信された原画像データを上記携帯電話に送信するものである，
請求項４に記載の画像通信システム。
【請求項６】
上記携帯電話が，
上記携帯電話の特性を表すデータを上記画像サーバに送信する特性データ送信手段をさらに備え，
上記画像サーバが，
上記携帯電話の上記特性データ送信手段によって表される特性にもとづいて上記原画像データを調整する第３の画像調整手段をさらに備え，
上記第３の画像調整手段によって調整された原画像データを上記携帯電話に送信するものである，
請求項１に記載の画像通信システム。
【請求項７】
画像サーバから送信された原画像データによって表される画像を表示画面上に表示する表示装置，
上記表示装置の表示画面上記に表示されている原画像を調整する画像調整手段，および
上記画像調整手段による原画像の調整量を表すデータを上記画像サーバに送信する画像調整量送信手段，
を備えた携帯電話。
【請求項８】
表示装置を備えた携帯電話に原画像データを送信する第１の画像データ送信手段，
上記画像データ送信手段によって上記携帯電話に原画像データが送信されたことに応じて上記携帯電話から送信される画像調整量データにもとづいて上記原画像データを調整する画像調整手段，および
上記画像調整手段によって調整された原画像データを上記携帯電話に送信する第２の画像データ送信手段，
を備えた画像サーバ。
【請求項９】
画像サーバから送信された原画像データによって表される原画像を表示画面上に表示し，
上記表示画面上に表示されている原画像を調整し，
上記調整量を表すデータを上記画像サーバに送信する，
携帯電話の制御方法。
【請求項１０】
画像サーバから送信された原画像データによって表される原画像を表示画面上に表示させ，
上記表示画面上に表示されている原画像を調整させ，
上記調整量を表すデータを上記画像サーバに送信させるように携帯電話を制御するプログラム。
【請求項１１】
表示装置を備えた携帯電話に原画像データを送信し，
上記携帯電話に原画像データが送信されたことに応じて上記携帯電話から送信される画像調整量データにもとづいて上記原画像データを調整し，
調整された原画像データを上記携帯電話に送信する，
画像サーバの制御方法。
【発明の詳細な説明】
【０００１】
【技術分野】
この発明は，画像通信システム，この画像通信システムを構成する画像サーバおよび携帯電話，それらの制御方法ならびに携帯電話を制御するプログラムに関する。
【０００２】
【発明の背景】
表示装置を備えた携帯電話が一般的になっている。この表示装置には電話番号などの文字を表示するだけでなく，画像を表示できるものが多い。
【０００３】
携帯電話についている表示装置を利用して，画像サーバから画像データを携帯電話にダウンロードすることができる（例えば，特許文献１参照）。
【０００４】
【特許文献１】
特開２００２−８３２０５号公報
【０００５】
しかしながら，同じ画像データであっても携帯電話についている表示装置によっては画像が暗く見えたり，ぼやけたりすることがある。きれいな画像が表示されるように，画像サーバにおいて画一的に画像データを調整しても，表示装置ごとに表示特性が異なるので必ずしもきれいな画像が表示されない。
【０００６】
【発明の開示】
この発明は，携帯電話の表示装置にきれいな画像を表示することを目的とする。
【０００７】
この発明は，画像サーバと携帯電話とを備えた画像通信システムについてのものである。まず，上記画像サーバから上記携帯電話に原画像データが送信される。
【０００８】
上記携帯電話は，上記画像サーバから送信された原画像データによって表される原画像を表示画面上に表示する表示装置，上記表示装置の表示画面上に表示されている原画像を調整する第１の画像調整手段，および上記第１の画像調整手段による原画像の調整量を表すデータを上記画像サーバに送信する画像調整量送信手段を備えている。
【０００９】
上記画像サーバは，上記携帯電話から送信された画像調整量データにもとづいて，上記原画像データを調整する第２の画像調整手段，および上記第２の画像調整手段によって調整された原画像データを上記携帯電話に送信する第１の画像データ送信手段を備えている。
【００１０】
この発明によると，画像サーバから携帯電話に原画像データが送信される。画像サーバから送信された原画像データが携帯電話において受信されると，その受信された原画像データによって表される原画像が携帯電話の表示装置の表示画面上に表示される。携帯電話のユーザは，表示画面上に表示されている原画像を見ながら，所望の画像となるように調整される。調整量を表すデータが携帯電話から画像サーバに送信される。
【００１１】
携帯電話から送信された画像調整量を表すデータが画像サーバにおいて受信されると，その受信した画像調整量データにもとづいて，携帯電話に送信した原画像データが調整される。画像サーバにおいて，携帯電話のユーザが調整した画像と同じ画像となるように原画像データが調整されるようになる。調整された原画像データが画像サーバから携帯電話に送信される。
【００１２】
調整された原画像データが携帯電話において受信され，記憶されることにより，携帯電話のユーザがきれいになるように調整した画像を表示装置の表示画面上に表示させることができるようになる。携帯電話において利用される画像調整用のプログラムは，調整した画像を表す画像データを記憶させることができないことが多い。すなわち，携帯電話は受信した画像データをそのまま記憶することはできるが，受信した画像データを調整し，調整した画像データを記憶することはできないことが多い。そのようなプログラムを用いた場合であってもユーザが調整した画像を表す画像データを携帯電話に記憶させることができるようになる。
【００１３】
上記画像通信システムを構成する画像サーバおよび携帯電話をそれぞれ単独で構成してもよい。また，この発明は，上記画像サーバを制御する方法および上記携帯電話を制御する方法も提供している。さらに，この発明は，上記携帯電話を制御するプログラムも提供している。
【００１４】
上記携帯電話は，上記第１の画像調整手段による画像調整量を与える調整量設定手段を備えるものとなろう。
【００１５】
また，上記携帯電話は，上記画像サーバの上記第１の画像データ送信手段から送信された調整済画像データを記憶する画像メモリ，および上記画像メモリに記憶された調整済画像データによって表される画像を表示画面上に表示するように上記表示装置を制御する表示制御手段をさらに備えるものとなろう。
【００１６】
上記画像通信システムが，クライアント・コンピュータをさらに備えるものでもよい。
【００１７】
この場合，上記クライアント・コンピュータは，上記携帯電話のアドレスを入力するアドレス入力手段，および上記アドレス入力手段から入力されたアドレスを表すデータを上記画像サーバに送信するアドレス・データ送信手段をさらに備えるものとなろう。
【００１８】
そして，上記画像サーバは，上記クライアント・コンピュータの上記アドレス・データ送信手段から送信されたアドレス・データによって表されるアドレスをもつ上記携帯電話に上記画像データを送信するものとなろう。
【００１９】
上記クライアント・コンピュータに記憶されている原画像データを画像サーバを介して携帯電話に送信でき，携帯電話の表示装置の表示画面上に，携帯電話のユーザによって調整されたきれいな画像を表示させることができる。クライアント・コンピュータのユーザと携帯電話のユーザとが同じユーザであれば，携帯電話のユーザが持っている画像を携帯電話にきれいな画像として表示させることができる。
【００２０】
上記クライアント・コンピュータは，上記携帯電話に送信される原画像データによって表される原画像を指定する画像指定手段，および上記画像指定手段によって指定された原画像を表す原画像データを上記画像サーバに送信する第２の画像データ送信手段をさらに備えるようにしてもよい。
【００２１】
この場合，上記画像サーバは，上記クライアント・コンピュータの上記第２の画像送信手段から送信された原画像データを上記携帯電話に送信するものとなろう。
【００２２】
さらに，上記携帯電話は，上記携帯電話の特性を表すデータを上記画像サーバに送信する特性データ送信手段をさらに備えることもできる。この場合，上記画像サーバは，上記携帯電話の上記特性データ送信手段によって表される特性にもとづいて上記画像データを調整する第３の画像調整手段をさらに備えることとなろう。そして，上記第３の画像調整手段によって調整された画像データを上記携帯電話に送信することとなろう。
【００２３】
携帯電話において画像調整される前に，画像サーバから携帯電話に送信される画像データが携帯電話の特性に応じてあらかじめ調整されるようになる。ユーザの画像調整の手間を軽減することができるようになる。
【００２４】
【実施例の説明】
図１は，この発明の実施例を示すもので，画像通信システムの概要を示している。
【００２５】
画像通信システムには，インターネットを介して互いに通信可能なクライアント・コンピュータ１，携帯電話２およびサーバ・システム（画像サーバ）２０が含まれている。クライアント・コンピュータ１には，ＣＰＵ，メモリ，表示装置，キーボード，通信回路などが含まれている。
【００２６】
この実施例においては，クライアント・コンピュータ１に記憶されている画像データがサーバ・システム２０に送信される。携帯電話２には，表示装置が設けられている。サーバ・システム２０において携帯電話２の表示装置の特性に応じて画像が調整される。調整された画像がサーバ・システム２０から携帯電話２に送信される。携帯電話２のユーザによって画像がきれいになるように，携帯電話２において調整される。調整量を表すデータが携帯電話２からサーバ・システム２０に送信される。サーバ・システム２０において，携帯電話２において行われた画像調整と同じ画像調整が行われる。画像調整された画像データが，サーバ・システム２０から携帯電話２に送信される。携帯電話のユーザによってきれいに調整された画像と同じ画像が，携帯電話２の表示装置の表示画面上に表示される。さらに詳しくは，以下の説明によって明らかとなろう。
【００２７】
図２は，携帯電話２の外観を示している。
【００２８】
携帯電話２の上部には，他の携帯電話，クライアント・コンピュータ１，サーバ・システム２０等と通信するためのアンテナ３が設けられている。
【００２９】
携帯電話２の前面の上方にはスピーカ１１が設けられている。このスピーカ１１の下には，表示画面１３が形成されている。表示画面１３の下には，上ボタンＢ１，下ボタンＢ２，左ボタンＢ３および右ボタンＢ４の上下左右ボタンが設けられている。これらの上，下，左および右ボタンＢ１，Ｂ２，Ｂ３およびＢ４の中心には決定ボタン１４が設けられている。詳しくは，後述するように，これらのボタンＢ１，Ｂ２，Ｂ３およびＢ４を用いて画像の輝度調整，シャープネス補正等の指令を与えることができる。
【００３０】
さらに，上，下，左および右ボタンＢ１，Ｂ２，Ｂ３およびＢ４の下には，発呼ボタン１５，クリア・ボタン１６および切断ボタン１７が設けられている。これらのボタン１５等の下にテン・キーパッド１８が設けられている。携帯電話２の前面の下には，マイクロフォン１０が設けられている。
【００３１】
図３は，携帯電話２の電気的構成を示すブロック図である。
【００３２】
携帯電話２の全体の動作は，制御回路６によって統括される。
【００３３】
携帯電話２には，後述するようにサーバ・システム２０から送信される画像データ，携帯電話用アプリケーション・プログラムなどを記憶するメモリ５が含まれている。また，携帯電話２には，画像等を表示する表示装置７が含まれている。さらに，携帯電話２には，テン・キーパッド１８，上，下，左および右ボタンＢ１〜Ｂ４，決定ボタン１４などの各種キー，ボタンなどを含む操作ボタン８が含まれている。操作ボタン８から出力される操作信号は，制御回路６に入力する。
【００３４】
制御回路２０には，さらに音声処理回路９が接続されている。この音声処理回路９にマイクロフォン１０およびスピーカ１１が接続されている。
【００３５】
他の携帯電話と通話，クライアント・コンピュータ１およびサーバ・システムとデータ通信等のために，携帯電話２には無線回路４が含まれている。この無線回路４にアンテナ３が接続されている。発呼データ，他の携帯電話から送信された音声データ，クライアント・コンピュータ１またはサーバ・システム２０等から送信される画像データ等がアンテナ３を介して無線回路４に入力する。入力した音声データ等が無線回路４において復調等して制御回路６に入力する。入力したデータが音声データであれば，スピーカ１１から音声が出力される。入力したデータが画像データであれば，表示装置７の表示画面上に画像データによって表される画像が表示される。
【００３６】
マイクロフォン１０に音声が入力すると，音声信号がマイクロフォン１０から出力され，音声処理回路９に入力する。音声処理回路９において，音声信号からディジタル音声データに変換されて制御回路６に入力する。音声データが無線回路４において変調され，アンテナ３を介して通話相手の携帯電話に送信される。
【００３７】
図４は，サーバ・システムの電気的構成を示すブロック図である。
【００３８】
サーバ・システム２０には，インターネットに接続するためのウェブ・サーバ２１が含まれている。このウェブ・サーバ２１にアプリケーション・サーバ２２が接続されている。
【００３９】
アプリケーション・サーバ２２には，サーバ・システム２０（ウェブ・サーバ２１）にアクセスした携帯電話２の表示仕様を検出する装置２３が接続されている。この仕様検出装置２３には，表示仕様を検出するためのテーブル７（記憶装置）が接続されている。テーブル７を参照して，サーバ・システム２０にアクセスした携帯電話の表示仕様が検出される。
【００４０】
画像取得装置２５には，クライアント・コンピュータ１から送信される原画像データを記憶する原画像データ記憶装置２６が接続されている。また画像取得装置２５には，調整済原画像データ記憶装置２７も接続されている。携帯電話の表示仕様に応じて原画像データが調整される。調整された願画像データが調整済原画像データ記憶装置２７に記憶される。
【００４１】
また，画像取得装置２５には，画像送信装置２８も接続されている。原画像データ記憶装置２６から読み取られた画像データまたは調整済画像データ記憶装置２７から読み取られた画像データが画像送信装置２８によって携帯電話２に送信されることとなる。
【００４２】
さらに，画像送信装置２８には，電子メール通信装置２９が接続されている。この電子メール通信装置２９によって携帯電話２との間で電子メールによる送受信が行われることとなる。
【００４３】
上述した各回路は，ハードウエアによって構成されているがソフトウエアによって実現できるのはいうまでもない。
【００４４】
図５は，仕様検出テーブル２４の内容を示している。
【００４５】
仕様検出テーブル２４には，携帯電話の機種名，携帯電話のメーカ名，携帯電話に設けられている表示装置の表示画面サイズ，その表示そ家が表示できる色数（カラーか白黒も含む）およびその表示装置が表示できる画像のフォーマットを示すデータが記憶されている。
【００４６】
携帯電話から送信される機種名を用いてその携帯電話の表示装置が表示できる画像のフォーマット，画像の色数，表示サイズの画面サイズおよび携帯電話のメーカ名が分かることとなる。携帯電話の機種名（表示仕様）に応じた画像データ生成することができるようになる。
【００４７】
図６から図１１は，画像通信システムの処理手順を示すフローチャートである。
【００４８】
図６は，クライアント・コンピュータ１の処理手順を示すフローチャート，図７から図９は，画像サーバの処理手順を示すフローチャート，図１０から図１２は，携帯電話の処理手順を示すフローチャートである。
【００４９】
図１３および図１４は，クライアント・コンピュータ表示装置の表示画面に表示される画像の一例を示し，図１５から図１８は，携帯電話の表示装置の表示画面に表示される画像の一例を示している。
【００５０】
以下に示す処理は，クライアント・コンピュータ１に記憶されている画像データをサーバ・システム２０を介して携帯電話２に送信し，携帯電話２のユーザによって，携帯電話２において画像調整が行われるものである。画像調整量を示すデータが携帯電話２からサーバ・システム２０に送信され，サーバ・システム２０において，携帯電話２と同じ調整処理が行われる。調整された画像データがサーバ・システム２０から携帯電話２に送信される。携帯電話２のユーザによって調整されたきれいな画像が携帯電話２の表示装置の表示画面上に表示される。
【００５１】
まず，クライアント・コンピュータ１の表示装置の表示画面上に，図１２に示す画像選択ウインドウ９０が表示される（図６ステップ３１）。画像選択ウインドウ９０には，そのほぼ全面に画像表示領域９１が含まれている。この画像表示領域９１には，携帯電話２に送信すべき候補となる画像データによって表される画像のサムネイル画像Ｔｈが一覧で表示されている。画像表示領域９１に表示されているサムネイル画像Ｔｈのうち，携帯電話２に送信すべき画像データによって表される画像のサムネイル画像が選択される。具体的には，クライアント・コンピュータ１に含まれるマウスによってカーソルが所望のサムネイル画像上に位置決めされた上でクリックされるであろう。また，画像選択ウインドウ９０の右側には，携帯電話２への画像送信指令をクライアント・コンピュータ１に与えるための指令領域９２も含まれている。指令領域９２がクリックされることにより携帯電話２への画像送信指令がクライアント・コンピュータ１に与えられる。
【００５２】
クライアント・コンピュータ１のユーザによって，携帯電話２に送信すべき画像データによって表される画像のサムネイル画像が選択される（図６ステップ３２）。その後，指令領域９２がクリックされると（図６ステップ３３でＹＥＳ），クライアント・コンピュータ１からサーバ・システム２０に接続要求が行われ，クライアント・コンピュータ１からサーバ・システム２０に携帯電話送信指令が送信される（図６ステップ３４）。
【００５３】
クライアント・コンピュータ１から送信された携帯電話送信指令が，サーバ・システム２０において受信されると（図７ステップ４１でＹＥＳ），携帯電話送信ウェブ・ページ・データがサーバ・システム２０からクライアント・コンピュータ１に送信される（図７ステップ４２）。
【００５４】
サーバ・システム２０から送信されたウェブ・ページ・データがクライアント・コンピュータ１において受信されると，クライアント・コンピュータ１にインストールされているウェブ・ブラウザが起動させられる。クライアント・コンピュータ１の表示装置の表示画面上には，図１４に示すウェブ・ページ・データによって表されるウインドウ１００が表示される（図６ステップ３５）。
【００５５】
ウインドウ１００には，電子メール・アドレス入力ウインドウ１０１が含まれている。電子メール・アドレス入力ウインドウ１０１が選択された後に，クライアント・コンピュータ１のキーボードを用いて画像データを送信すべき携帯電話２の電子メール・アドレスが入力される（図６ステップ３６）。また，電子メール・アドレス入力ウインドウ１０１には，特定の携帯電話会社の携帯電話に画像データを送信するかどうかを確認するチェック・ボックス１０２も含まれている。特定の携帯電話会社の携帯電話に画像データを送信する場合には，「ｙｅｓ」のチェック・ボックスがクライアント・コンピュータ１のユーザによってチェックされる。特定の携帯電話会社以外の携帯電話に画像データを送信する場合には，「ｎｏ」のチェック・ボックスがクライアント・コンピュータ１のユーザによってチェックされる。
【００５６】
さらに，ウインドウ１００には，ＯＫ領域１０３およびキャンセル領域１０４が設けられている。入力された電子メール・アドレスおよびチェック・ボックスのチェックが正しければ，ＯＫ領域１０３がクリックされる。入力された電子メール・アドレスをキャンセルする場合には，キャンセル領域１０４がクリックされる。
【００５７】
ＯＫ領域１０３がクリックされると，電子メール入力ウインドウ１０１に入力された電子メール・アドレスを表すデータおよび選択されたサムネイル画像に対応する画像（原画像）を表わす画像データ（原画像データ）がクライアント・コンピュータ１からサーバ・システム２０に送信される（図６ステップ３７）。原画像データは，サーバ・システム２０の原画像データ記憶装置２６に記憶される。
【００５８】
クライアント・コンピュータ１から送信された電子メール・アドレス・データがサーバ・システム２０において受信されると（図７ステップ４３でＹＥＳ），サーバ・システム２０から電子メール・アドレス・データによって表される電子メール・アドレスをもつ携帯電話にＵＲＬ（Ｕｎｉｆｏｒｍ  Ｒｅｓｏｕｒｃｅ  Ｌｏｃａｔｏｒ）データ付きの電子メールが送信される（図７ステップ４４）。
【００５９】
サーバ・システム２０から送信されたＵＲＬデータ付きの電子メールが携帯電話２において受信されると（図１０ステップ６１でＹＥＳ），携帯電話２の表示装置の表示画面１１０には，図１５に示すように，受信した電子メールに付いているＵＲＬデータによって表されるＵＲＬ１１１が表示される（図１０ステップ６２）。ＵＲＬ１１１は，ホット・テキストとなっており，クリック可能である。ＵＲＬ１１１がクリックされると（図１０ステップ６３），携帯電話２の機種名を表すデータがメモリ５から読み出される。読み出された機種名データがサーバ・システム２０に送信され，ＵＲＬ１１１のサイトに接続要求が行われる（図１０ステップ６４）。
【００６０】
サーバ・システム２０において，携帯電話２からＵＲＬ１１１をもつサイトへの接続要求が検出されると（図７ステップ４５でＹＥＳ），機種名データによって表される機種名に対応する仕様が仕様判定テーブル７から読み出される。読み出された仕様に対応して，クライアント・コンピュータ１から送信された原画像データが，携帯電話２に表示可能なように調整される（図７ステップ４６）。調整された原画像データがサーバ・システム２０から携帯電話２に送信される（図７ステップ４７）。また調整された画像データは調整済画像データ記憶装置２７にも記憶される。
【００６１】
クライアント・コンピュータ１から送信された画像データが携帯電話２において受信されると（図１０ステップ６５でＹＥＳ），図１６に示すように，携帯電話２の表示画面１３の画像表示領域１１２に，受信した画像データによって表される画像が表示される（図１０ステップ６６）。画像表示領域１１２の下には，画像表示領域１１２に表示されている画像をさらにきれいにするときにクリックされる文字（「画像をさらにきれいにする」）１１３が表示される。この文字１１３もホット・テキストなのはいうまでもない。文字１１３がクリックされると（図１０ステップ６７でＹＥＳ），携帯電話２の表示画面１３には，図１７に示すようにアプリケーション・ダウンロード画像が表示される（図１０ステップ６８）。アプリケーション・ダウンロード画像には，アプリケーション・プログラムをダウンロードするときにクリックされるホット・テキスト１１４が含まれている。このホット・テキスト１１４がクリックされるとアプリケーション・ダウンロード指令が携帯電話２に与えられたこととなり（図１１ステップ６９でＹＥＳ），サーバ・システム２０にアプリケーション・プログラムが要求される（図１１ステップ７０）。
【００６２】
サーバ・システム２０においてアプリケーション・プログラムの送信要求が検出されると（図８ステップ４８でＹＥＳ），携帯電話用アプリケーション・プログラムが携帯電話２に送信される（図８ステップ４９）。
【００６３】
サーバ・システム２０から送信されたアプリケーション・プログラムが携帯電話２において受信されると（図１１ステップ７１でＹＥＳ），携帯電話２からサーバ・システム２０に画像データが要求される（図１０ステップ７２）。
【００６４】
携帯電話２からの画像データの送信要求がサーバ・システム２０において検出されると（図８ステップ５０でＹＥＳ），上述のようにして携帯電話２の機種に応じて調整された画像データが携帯電話２に送信される（図８ステップ５１）。
【００６５】
携帯電話２の機種に応じてサーバ・システム２０において調整された画像データが携帯電話２において受信されると（図１１ステップ７３でＹＥＳ），調整された画像データによって表される画像が図１７に示すように，表示される（図１０ステップ７４）。表示されている画像は必ずしもきれいな画像とはいえないことが多い。このために，携帯電話２の上，下，左および右ボタンＢ１，Ｂ２，Ｂ３およびＢ４を用いて，きれいな画像となるように携帯電話２のユーザによって画像調整が行われる（図１１ステップ７５）。左ボタンＢ３の押下に応じて，表示画面１１０に表示されている画像の輝度が低くなり，右ボタンＢ４の押下に応じて，表示画面１１０に表示されている画像の輝度が高くなる。また，上ボタンＢ１の押下に応じて，表示画面１１０に表示されている画像のシャープネスが大きくなり，下ボタンＢ２の押下に応じて，表示画面１１０に表示されている画像のシャープネスが小さくなる。携帯電話２のユーザによって所望の画像に調整される。
【００６６】
上，下，左および右ボタンＢ１，Ｂ２，Ｂ３およびＢ４によって調整された種類および量を示すデータが携帯電話２からサーバ・システム２０に送信される（図１１ステップ７６）。
【００６７】
携帯電話２から送信された調整種類データおよび調整量データがサーバ・システム２０において受信されると（図８ステップ５２でＹＥＳ），調整種類データおよび調整量データにもとづいて，画像データが再び調整される（図８ステップ５３）。この再調整により，携帯電話２のユーザによって調整された画像と同じ画像を表す画像データが生成されることとなる。再調整された画像データがサーバ・システム２０から携帯電話２に送信される（図８ステップ５４）。
【００６８】
再調整された画像データが携帯電話２において受信されると（図１２ステップ７７でＹＥＳ），受信された再調整画像データによって表される画像が携帯電話２の表示画面１１０上に表示される（図１２ステップ７８）。再調整された画像が携帯電話２のユーザによって確認される。表示された画像が満足のいく画像であれば（図１２ステップ９９でＹＥＳ），決定ボタン１４が押される（図１２ステップ８０）。表示された画像に納得しなければ（図１２ステップ７９でＮＯ），図１１ステップ７５からの処理が繰り返される。
【００６９】
再調整された画像が満足のいくものであり，決定ボタンが押されると，携帯電話２からサーバ・システム２０に終了指令が送信される（図１２ステップ８１）。
【００７０】
携帯電話２から送信された終了指令がサーバ・システム２０において検出されると（図９ステップ５５でＹＥＳ），最終的な調整済み画像データが携帯電話２に送信される（図９ステップ５６）。
【００７１】
サーバ・システム２０から送信された最終的な調整済み画像データが携帯電話２において受信されると（図１２ステップ８２でＹＥＳ），その受信した画像データによって表される画像が携帯電話２の表示画面１１０上に表示される（図１２ステップ８３）。得られた最終的な調整済みの画像データが携帯電話２のメモリ５に記憶される（図１２ステップ８４）。このようにして記憶された画像データによって表される画像をいわゆる待ち受け画面に利用することができるようになる。
【図面の簡単な説明】
【図１】画像通信システムの概要を示している。
【図２】携帯電話の外観を示している。
【図３】携帯電話の電気的構成を示すブロック図である。
【図４】サーバ・システムの電気的構成を示すブロック図である。
【図５】仕様検出テーブルを示している。
【図６】クライアント・コンピュータの処理手順の一部を示すフローチャートである。
【図７】サーバ・システムの処理手順の一部を示すフローチャートである。
【図８】サーバ・システムの処理手順の一部を示すフローチャートである。
【図９】サーバ・システムの処理手順の一部を示すフローチャートである。
【図１０】携帯電話の処理手順の一部を示すフローチャートである。
【図１１】携帯電話の処理手順の一部を示すフローチャートである。
【図１２】携帯電話の処理手順の一部を示すフローチャートである。
【図１３】クライアント・コンピュータの表示装置に表示される画像の一例である。
【図１４】クライアント・コンピュータの表示装置に表示される画像の一例である。
【図１５】携帯電話の表示装置に表示される画像の一例である。
【図１６】携帯電話の表示装置に表示される画像の一例である。
【図１７】携帯電話の表示装置に表示される画像の一例である。
【図１８】携帯電話の表示装置に表示される画像の一例である。
【符号の説明】
１  クライアント・コンピュータ
２  携帯電話
３  アンテナ
４  無線回路
５  メモリ
６  制御回路
７  表示装置
８  操作ボタン
１３  表示画面
１４  決定ボタン
２０  サーバ・システム
２１  ウェブ・サーバ
２２  アプリケーション・サーバ
２３  仕様検出装置
２８  画像送信装置
２９  電子メール通信装置
Ｂ１  上ボタン
Ｂ２  下ボタン
Ｂ３  左ボタン
Ｂ４  右ボタン
【図１】
2004180049.tif 000003
【図２】
2004180049.tif 000004
【図３】
2004180049.tif 000005
【図４】
2004180049.tif 000006
【図５】
2004180049.tif 000007
【図６】
2004180049.tif 000008
【図７】
2004180049.tif 000009
【図８】
2004180049.tif 000010
【図９】
2004180049.tif 000011
【図１０】
2004180049.tif 000012
【図１１】
2004180049.tif 000013
【図１２】
2004180049.tif 000014
【図１３】
2004180049.tif 000015
【図１４】
2004180049.tif 000016
【図１５】
2004180049.tif 000017
【図１６】
2004180049.tif 000018
【図１７】
2004180049.tif 000019
【図１８】
2004180049.tif 000020